(57)【要約】【課題】マッサージウェア構造を提供する。【解決手段】主に若干の容置空間は該マッサージウェアの内部に配置し、若干のエアバッグは該各容置空間内に配置し、少なくとも１個の空気充填ユニットは該各エアバッグと連接し、該各エアバッグに対して空気充填を行うことができ、若干の空気排出ユニットは該各エアバッグと連接し、該各エアバッグに対して空気排出を行うことができ、制御ユニットは該空気充填ユニットと連接し、該空気充填ユニットの動作を制御可能である。しかも該制御ユニット内にはパワーサプライを含み、該各エアバッグの空気充填と空気排出を制御することにより、本考案は使用の利便性と有効なマッサージの機能と効果を達成することができる。【選択図】図１
0003139689.tif 000002
【実用新案登録請求の範囲】
【請求項１】
主にマッサージウェア構造は若干の容置空間、若干のエアバッグ、少なくとも１個の空気充填ユニット、若干の空気排出ユニット、制御ユニットを含み、
該若干の容置空間は該マッサージウェアの内部に配置し、
該若干のエアバッグは該特定の容置空間内に配置し、
該少なくとも１個の空気充填ユニットは該各エアバッグと連接し、該各エアバッグに対して空気充填を行うことができ、
該若干の空気排出ユニットは該各エアバッグと連接し、該各エアバッグに対して空気排出を行うことができ、
該制御ユニットは該空気充填ユニットと連接し、該空気充填ユニットの動作を制御可能で、しかも該制御ユニット内にはパワーサプライを含むことを特徴とするマッサージウェア構造。
【請求項２】
前記マッサージウェア表面には緊合ユニットを配置することを特徴とする請求項１に記載のマッサージウェア構造。
【請求項３】
前記容置空間は該マッサージウェアの胸部両外側及び胸に配置することを特徴とする請求項１に記載のマッサージウェア構造。
【考案の詳細な説明】
【技術分野】
【０００１】
本考案は一種のマッサージ構造に関する。特に一種の使用の利便性と有効なマッサージ効果を達成可能なマッサージウェア構造に係る。
【背景技術】
【０００２】
長時間の仕事や激しい運動の後には、しばしば腰や背中のだるい痛みが起きる。このような場合の最良の解決方法はマッサージを行うことで、筋肉をほぐすことができ、さらにはストレスを和らげることもできる。マッサージの方式は二種に分けられ、一つは他人にマッサージしてもらうもので、もう一つは道具を用い自分でマッサージを行うものである。友人や家族などにマッサージをしてもらえば、一切費用がかからないという利点もあるが、彼らは素人であるため、力の入れ加減やマッサージすべき重点部位などに対して詳しくなく、効果は十分でない。対して、専門のマッサージ師に頼めば、ほぐしの高い効果を得ることはできるが、費用が非常に高く、経済的な負担は大きい。
【０００３】
よって市場には多くのマッサージ器が見られる。これにより自身でマッサージでき、別に費用を負担する必要なく、しかも使用者は力の入れ加減及びマッサージの重点部位を自身で制御できるため、非常に経済的である。
【０００４】
しかし、マッサージ棒等の大部分のマッサージ器は手に持つ方式によりマッサージを行う必要があり、また一回のマッサージでは一個のツボ或いは一ヶ所のだるい場所だけしか刺激することができない。よって、使用者はある程度の長時間、マッサージを続けて使用後に初めてマッサージにより快適なリラックス効果を得ることができる。しかしこのために使用者の手は長時間力を使うことでだるさを感じ、実用に耐え得るものとは言いがたい。
【０００５】
またマッサージチェアなどの手で持つ必要のないマッサージ装置は、自動マッサージ及び多数ヶ所同時マッサージの機能を備えるが、非常に高価で、実用的ではない。
【０００６】
さらに、使用者が外出時或いはマッサージと同時に他の事務（料理、仕事、歩行等）を処理しようとする時には、マッサージ棒或いはマッサージチェア共に使用者のニーズを満たすことはできない。
【０００７】
上記一般のマッサージ装置の遺憾な点に鑑み、本考案人はその不完全さに思いを致し、研究開発に尽力し、該項産業における長年にわたる経験を生かし、ついにマッサージウェア構造の開発に成功した。該構造は簡単な設計を利用し、本考案は使用の利便性と、有効なマッサージの機能と効果を達成することができる。
【考案の開示】
【考案が解決しようとする課題】
【０００８】
本考案が解決しようとする課題はマッサージウェア構造を設計し、使用の利便性という機能と効果を達成することである。
【課題を解決するための手段】
【０００９】
上記課題を解決するため、本考案は下記のマッサージウェア構造を提供する。
それは主に若干の容置空間、若干のエアバッグ、少なくとも１個の空気充填ユニット、若干の空気排出ユニット、制御ユニットを含み、
該若干の容置空間は該マッサージウェアの内部に配置し、
該若干のエアバッグは該各容置空間内に配置し、
該少なくとも１個の空気充填ユニットは該各エアバッグと連接し、該各エアバッグに対して空気充填を行うことができ、
該若干の空気排出ユニットは該各エアバッグと連接し、該各エアバッグに対して空気排出を行うことができ、
該制御ユニットは該空気充填ユニットと連接し、該空気充填ユニットの動作を制御可能で、しかも該制御ユニット内にはパワーサプライを含み、
該各エアバッグの空気充填と空気排出を制御することにより、本考案は使用の利便性と有効なマッサージの機能と効果を達成することができる。
【考案の効果】
【００１０】
上記のように、本考案マッサージウェア構造の設計は確実に実行でき、しかも公知技術の各種欠点を改善することができる。すなわち独創的で産業ニーズに合った高度な考案で、しかも新規性及び進歩性を備えるため、実用新案登録の法定要件に完全に符合している。
【考案を実施するための最良の形態】
【００１１】
本考案の上記と他の目的、特徴及び機能と効果を明らかにするため、以下に具体的な実施例に図式を合わせ詳細な説明を行う。
【００１２】
本考案の正面透視図及び背面透視図である図１及び２、本考案各部品の連接指示図である図３に示すように、本考案マッサージウェア１０内部には若干の容置空間（図示なし）を配置し、特定の容置空間にはエアバッグ１１を配置する。該各エアバッグ１１はすべて空気充填ユニット１２及び空気排出ユニット１３と連接し、該空気充填ユニット１２は該エアバッグ１１に対して空気充填を行い、該空気排出ユニット１３は該エアバッグ１１に対して空気排出を行う。
【００１３】
該空気充填ユニット１２は制御ユニット１４と連接し、該制御ユニット１４は該空気充填ユニット１２の該エアバッグ１１に対する空気充填の動作を制御可能である。該制御ユニット１４が該空気充填ユニット１２を制御し、該エアバッグ１１に対する空気充填を停止すると、該エアバッグ１１内の空気は自然に該空気排出ユニット１３を通して排出され、空気排出の動作を形成する。該制御ユニット１４内にはパワーサプライ（図示なし）を含み、これにより該エアバッグ１１を制御し空気充填／空気排出を行う時に必要とする電力を提供する。
【００１４】
この他、該空気充填ユニット１２は空気充填ポンプで、該空気排出ユニット１３は空気排出バルブである。もし、該エアバッグ１１に急速空気充填を行わせ、使用者により強いマッサージ力を感じさせたい場合には、該空気充填ユニット１２の数を増やすだけで良い。
【００１５】
使用者が本考案のマッサージウェア１０を使用する時には、該操作制御ユニット１４により該エアバッグ１１を制御し、空気充填／空気排出（膨脹／収縮）を行うだけで、自動的に使用者の身体に対してマッサージを行うことができ、非常に効果が高い。
【００１６】
この他、本考案のマッサージウェア１０は使用者の身体に着用するため、使用者は料理、仕事或いは歩行と同時にマッサージを行うことができ、非常に便利で実用的である。
【００１７】
また、本考案のマッサージウェア１０はベスト式或いはジャケット式とすることができる。ベスト式とする時には、使用者は直接それを着用すれば使用できる。ジャケット式とする時には、使用者は着用後、表面に配置する緊合ユニット１５（ファスナー或いはマジックテープ（登録商標）など）を利用し、使用者の身体上に密着させることで、有効にマッサージを行うことができる。
【００１８】
さらに、本考案マッサージウェア１０のエアバッグ１１は主に、人体の肩部、胸部、腰部及び背中の重点ツボに対応する容置空間内に配置する必要がある。但し、人体の身体上のツボ或いはだるい場所は非常に多いため、使用者がマッサージしたいと思う場所をマッサージできるようにするため、該マッサージウェア１０内部の容置空間は二個が連続する構造に設計し、その内部にはすべて該エアバッグ１１を配置する。或いは該エアバッグ１１の数は容置空間より少ないため、使用者は自身で該エアバッグ１１をマッサージしたい位置に対応する容置空間に装置し、有効なマッサージの機能と効果を達成することができる。
【００１９】
図４に示すように、該マッサージウェア１０の容置空間は該マッサージウェアの胸部両外側及び胸部下側に配置可能で、しかもその内部にはすべて該エアバッグ１１１、１１２を配置する。さらに、該操作制御ユニット１４により該エアバッグ１１１、１１２の空気充填／空気排出（膨脹／収縮）を制御し、自動的に使用者の胸部に対してマッサージを行い、豊胸の効果を達成することができる。
【００２０】
さらに本考案マッサージウェア１０のマッサージが要する電力は、該制御ユニット１４内に配置するパワーサプライが提供する。該マッサージウェア１０の使用時間を延長させるため、該制御ユニット１４上には若干の制御ボタン１４１、１４２、１４３、１４４を設置し、単一のエアバッグ１１或いは特定区域のエアバッグ１１に対応制御し空気充填／空気排出を行い、他の部分のエアバッグ１１は動作しないため、該マッサージウェア１０の使用時間を延長することができる。
【００２１】
該パワーサプライは該制御ユニット１４内に配置するため、充電或いは交換を便利に行うことができ、非常に実用的である。さらには、該マッサージウェア１０の特定位置において収納袋を設置し、該制御ユニット１４をその中に入れ、美観と収納の機能と効果を達成することができる。
【図面の簡単な説明】
【００２２】
【図１】本考案の正面透視図である。
【図２】本考案の側面透視図である。
【図３】本考案の各部品の連接指示図である。
【図４】本考案の別種の実施例正面透視図である。
【符号の説明】
【００２３】
１０  マッサージウェア
１１  エアバッグ
１２  空気充填ユニット
１３  空気排出ユニット
１４  制御ユニット
１５  緊合ユニット
１１１  エアバッグ
１１２  エアバッグ
１４１  制御ボタン
１４２  制御ボタン
１４３  制御ボタン
１４４  制御ボタン
【図１】
0003139689.tif 000003
【図２】
0003139689.tif 000004
【図３】
0003139689.tif 000005
【図４】
0003139689.tif 000006